【手続補正書】
【提出日】平成15年10月24日(2003.10.24)
【手続補正１】
【補正対象書類名】明細書
【補正対象項目名】０００６
【補正方法】変更
【補正の内容】
【０００６】
すなわち、矢印で図示するように、ＩピクチャＩ２は、そのフレーム内のみで予測符号化されており、ＰピクチャＰ５は、ＩピクチャＩ２を参照してフレーム間予測符号化されており、ＰピクチャＰ８は、ＰピクチャＰ５を参照してフレーム間予測符号化されている。更に、ＢピクチャＢ３，Ｂ４は、ＩピクチャＩ２とＰピクチャＰ５との２つを参照してフレーム間予測符号化されており、ＢピクチャＢ６，Ｂ７は、ＰピクチャＰ５とＰピクチャＰ８との２つを参照してフレーム間予測符号化されている。そして、以下同様に予測符号化されて、以降のピクチャが作成されている。なお、各ピクチャの符号中の添え字は、テンポラル・リファレンス（以下、ＴＲと称する。）を表している。ここで、ＴＲは、ＧＯＰの中の画面順を表すものであり、通常の再生時には、このＴＲの順に各ピクチャが再生される。


【手続補正２】
【補正対象書類名】明細書
【補正対象項目名】０００８
【補正方法】変更
【補正の内容】
【０００８】
そこで、復号時に必要とされるピクチャを先に復号しておけるように、図１５（ｂ）に示すようにピクチャを入れ替えておく。すなわち、ＢピクチャＢ０，Ｂ１は、復号時に先行するＧＯＰのＩピクチャ又はＰピクチャとＩピクチャＩ２とを必要とするため、ＢピクチャＢ０，Ｂ１よりＩピクチャＩ２が先行するようにしておく。ＢピクチャＢ３，Ｂ４は、復号時にＩピクチャＩ２とＰピクチャＰ５とを必要とするため、ＢピクチャＢ３，Ｂ４よりＰピクチャＰ５が先行するようにしておく。ＢピクチャＢ６，Ｂ７は、復号時にＰピクチャＰ５とＰピクチャＰ８とを必要とするため、ＢピクチャＢ６，Ｂ７よりＰピクチャＰ８が先行するようにしておく。ＢピクチャＢ９，Ｂ１０は、復号時にＰピクチャＰ８とＰピクチャＰ１１とを必要とするため、ＢピクチャＢ９，Ｂ１０よりＰピクチャＰ１１が先行するようにしておく。ＢピクチャＢ１２，Ｂ１３は、復号時にＰピクチャＰ１１とＰピクチャＰ１４とを必要とするため、ＢピクチャＢ１２，Ｂ１３よりＰピクチャＰ１４が先行するようにしておく。


【手続補正３】
【補正対象書類名】明細書
【補正対象項目名】００２２
【補正方法】変更
【補正の内容】
【００２２】
また、この映像再生装置１００は、上記主映像圧縮データを伸張するビデオデコーダ６と、上記副映像圧縮データを伸張して主映像データと合成する副映像デコーダ７と、上記音声圧縮データを伸張するオーディオデコーダ８と、ビデオデコーダ６からの主映像データと副映像デコーダ７からの副映像データが合成された映像データが供給され当該映像データをＮＴＳＣ信号又はＰＡＬ信号に変換するデジタル／ＮＴＳＣ，ＰＡＬ変換回路（以下、単にＮＴＳＣ変換回路と称する。）９と、オーディオデコーダ８からのオーディオデータが供給され当該オーディオデータをアナログ信号に変換するデジタル／アナログ変換回路（以下、単にＤ／Ａ変換回路と称する。）１０とを備える。


【手続補正４】
【補正対象書類名】明細書
【補正対象項目名】００４３
【補正方法】変更
【補正の内容】
【００４３】
ＶＭＧは、再生に必要な基本的な情報等が記録されるＶＭＧＩ（VMG Information）と、記録されているデータにアクセスするためのメニュー画面の情報等が記録されるＶＭＧＭ＿ＶＯＢＳ（Video object Set for VMG Menu）と、ＶＭＧＩのバックアップであるＶＭＧＩ＿ＢＵＰ（Backup of the VMGI）とから構成されている。なお、ＶＭＧＭ＿ＶＯＢＳは、必須ではなく、無くても構わない。


【手続補正５】
【補正対象書類名】明細書
【補正対象項目名】００５３
【補正方法】変更
【補正の内容】
【００５３】
また、ＶＯＢＵのスタートアドレスのことを「ＶＯＢＵ＿ＳＡ」と称する。そして、デマルチプレクサ５からビデオデコーダ６に供給されるＶＯＢＵは「エントリーポイント」によって特定される。すなわち、エントリーポイントにＶＯＢＵ＿ＳＡが設定され、当該ＶＯＢＵ＿ＳＡが指し示すＶＯＢＵが、デマルチプレクサ５からビデオデコーダ６、副映像デコーダ７及びオーディオデコーダ８に供給される。より具体的には、当該ＶＯＢＵに含まれる主映像データパックＶ＿ＰＣＫが、デマルチプレクサ５からビデオデコーダ６に供給されて復号され、当該ＶＯＢＵに含まれる副映像データパックＳＰ＿ＰＣＫがデマルチプレクサ５から副映像デコーダ７に供給されて復号され、当該ＶＯＢＵに含まれる音声データパックＡ＿ＰＣＫがデマルチプレクサ５からオーディオデコーダ８に供給され復号される。


【手続補正６】
【補正対象書類名】明細書
【補正対象項目名】００７６
【補正方法】変更
【補正の内容】
【００７６】
すなわち、切り換え後のモードがＦＦのときには、モード切換前ピクチャを含むＶＯＢＵの次のＶＯＢＵを、切り換え後のモードにおいて最初に復号すべきピクチャが含まれるＶＯＢＵとして特定する。また、切り換え後のモードがＦＲのときには、モード切換前ピクチャを含むＶＯＢＵの前のＶＯＢＵを、切り換え後のモードにおいて最初に復号すべきピクチャが含まれるＶＯＢＵとして特定する。


【手続補正７】
【補正対象書類名】明細書
【補正対象項目名】０１５３
【補正方法】変更
【補正の内容】
【０１５３】
そして、ＧｏＴｏＴａｒｇｅｔ処理が起動されて、映像データをターゲットピクチャに至るまで進める処理が開始されると、副映像データ、音声データ及び字幕データを復号又は破棄して、副映像データ、音声データ及び字幕データをターゲットピクチャに相当するところまで進める処理が開始される。以下、この処理について、図１３のフローチャートを参照して説明する。なお、図１３のフローチャートに示す処理は、ＧｏＴｏＴａｒｇｅｔ処理を１ピクチャ分行う毎に行われる。


【手続補正８】
【補正対象書類名】明細書
【補正対象項目名】０１７２
【補正方法】変更
【補正の内容】
【０１７２】
このとき、ＰピクチャＰ１４の表示時間が２フィールド分であるならば、動画の再生に移るときには、図１４（ａ）に示すように、ＧＯＰ＿ＤＴＳＶからＩピクチャＩ２の分の時間が経過してから、すなわちＧＯＰ＿ＤＴＳＶから２フィールド分の時間が経過してから、ＢピクチャＢ０の復号を開始しなければならない。


【手続補正９】
【補正対象書類名】明細書
【補正対象項目名】０１７３
【補正方法】変更
【補正の内容】
【０１７３】
一方、２−３プルダウンが適用されており、ＰピクチャＰ１４の表示時間が３フィールド分であるならば、動画の再生に移るときには、図１４（ｂ）に示すように、ＧＯＰ＿ＤＴＳＶからＩピクチャＩ２の分の時間が経過してから更に１フィールド分の時間が経過してから、すなわちＧＯＰ＿ＤＴＳＶから３フィールド分の時間が経過してから、ＢピクチャＢ０の復号を開始しなければならない。このように、ＰピクチャＰ１４の表示時間が３フィールド分であるときには、ＩピクチャＩ２の復号が終了した時点から１フィールド分の時間Ｗだけ待ってから、ＢピクチャＢ０の復号を開始しなければならない。


【手続補正１０】
【補正対象書類名】明細書
【補正対象項目名】０１７７
【補正方法】変更
【補正の内容】
【０１７７】
なお、静止画を表示している状態から動画の再生へ移るときに、動画の最初のピクチャを含むＶＯＢＵにＰＲＥ＿ＦＰＰが含まれている場合には、当該ＰＲＥ＿ＦＰＰについては表示を行わないようにしておく。そして、ＰＲＥ＿ＦＰＰ以外のピクチャ、すなわち復号する際に異なるＶＯＢＵのピクチャが不要なピクチャの表示が開始されるまで、静止画を表示した状態で保持しておくようにする。


【手続補正１１】
【補正対象書類名】図面
【補正対象項目名】図１５
【補正方法】変更
【補正の内容】
【図１５】
1998271455.tif 000001